(57)【要約】【課題】Ｗｅｂページ提供者やユーザの特段の支援なくＷｅｂページの更新情報を配信する情報配信システムの更新情報が分かりにくい。【解決手段】Ｗｅｂページ取得手段２１は、入力されたＵＲＩに対応するＷｅｂページデータを取得し、Ｗｅｂページ記憶部３１に記憶する。更新情報抽出手段２２は、入力されたＵＲＩに対応する直近複数時点のＷｅｂページデータを比較し、更新情報を抽出する。レイアウト解析手段２３は、入力されたＵＲＩに対応する直近のＷｅｂページデータに基づいて、Ｗｅｂページのレイアウトを解析し、レイアウトを構成するセクションやその見出しを抽出する。更新セクション抽出手段２４は、更新情報抽出手段２２で抽出された更新情報を含むレイアウト解析手段２３で得られたセクションを更新セクションとして抽出する。更新情報整形手段２５は、更新情報に更新セクションを示す情報を付加した配信用更新情報を生成する。【選択図】図１
2008071116.tif 000002
【特許請求の範囲】
【請求項１】
ウェブページの更新された情報を示す更新情報を配信する情報配信システムであって、
更新情報に、意味的に関連する情報を掲載しているウェブページの画面上の領域の単位であるセクションであって、更新情報を含むセクションを示す情報を付加した配信用更新情報を生成する
ことを特徴とする情報配信システム。
【請求項２】
直近複数時点のウェブページデータを比較して更新情報を抽出する更新情報抽出手段と、
前記ウェブページデータに基づいて、ウェブページのレイアウトを解析し、セクションを抽出するレイアウト解析手段と、
前記更新情報抽出手段で抽出された更新情報を含む前記レイアウト解析手段で抽出されたセクションを、更新セクションとして抽出する更新セクション抽出手段と、
前記更新情報抽出手段で抽出された更新情報に、前記更新セクション抽出手段が抽出した更新セクションを示す情報を付加した配信用更新情報を生成する更新情報整形手段とを備えた
請求項１に記載の情報配信システム。
【請求項３】
ユーザを識別するためのユーザ識別情報と、前記ユーザが指定したＵＲＩと、前記ＵＲＩで特定されるウェブページのウェブページデータと、前記ウェブページデータの取得時間とを対応づけて記憶するウェブページ記憶手段を備え、
更新抽出手段は、指定のユーザ識別情報に対応づけて記憶されている指定のＵＲＩで特定されるウェブページの直近複数時点のウェブページデータを比較し、
レイアウト解析手段は、指定のユーザ識別情報に対応づけて記憶されている指定のＵＲＩで特定されるウェブページの直近のウェブページデータに基づいて、ウェブページのレイアウトを解析する
請求項２に記載の情報配信システム。
【請求項４】
ユーザ識別子と、前記ユーザ識別子で識別されるユーザが指定したＵＲＩとを対応づけて記憶するＵＲＩ記憶手段と、
指定のＵＲＩで特定されるウェブページのウェブページデータを取得するウェブページデータ取得手段と、
定期的に、前記ウェブページデータ取得手段に、前記ＵＲＩ記憶手段に記憶されているＵＲＩで特定されるウェブページのウェブページデータを取得させ、取得時間とユーザ識別子と対応づけてウェブページ記憶手段に記憶させる定期実行制御手段とを備えた
請求項３に記載の情報配信システム。
【請求項５】
更新情報抽出手段は、更新時刻をも抽出し、
更新情報整形生成手段は、前記更新情報抽出手段によって抽出された更新情報に、前記更新時刻をさらに付加した配信用更新情報を生成する
請求項２から請求項４のうちのいずれか１項に記載の情報配信システム。
【請求項６】
更新情報整形手段は、配信用更新情報を更新時刻順に配列させて生成する請求項５に記載の情報配信システム。
【請求項７】
ウェブページの更新された情報を示す更新情報を配信する情報配信システムに適用される情報配信装置であって、
直近複数時点のウェブページデータを比較して更新情報を抽出する更新情報抽出手段と、
前記ウェブページデータに基づいて、ウェブページのレイアウトを解析し、セクションを抽出するレイアウト解析手段と、
前記更新情報抽出手段で抽出された更新情報を含む前記レイアウト解析手段で抽出されたセクションを、更新セクションとして抽出する更新セクション抽出手段と、
前記更新情報抽出手段で抽出された更新情報に、前記更新セクション抽出手段が抽出した更新セクションを示す情報を付加した配信用更新情報を生成する更新情報整形手段とを備えた
ことを特徴とする情報配信装置。
【請求項８】
ウェブページの更新された情報を示す更新情報を配信する情報配信方法であって、
直近複数時点のウェブページデータを比較して更新情報を抽出し、
前記ウェブページデータに基づいて、ウェブページのレイアウトを解析し、セクションを抽出し、
抽出された更新情報を含む前記セクションを、更新セクションとして抽出し、
抽出された更新情報に、前記更新セクションを示す情報を付加した配信用更新情報を生成する
ことを特徴とする情報配信方法。
【請求項９】
ユーザを識別するためのユーザ識別情報と、前記ユーザが指定したＵＲＩと、前記ＵＲＩで特定されるウェブページのウェブページデータと、前記ウェブページデータの取得時間とを対応づけて記憶し、
指定のユーザ識別情報に対応づけて記憶されている指定のＵＲＩで特定されるウェブページの直近複数時点のウェブページデータを比較して更新情報を抽出し、
前記指定のユーザ識別情報に対応づけて記憶されている前記指定のＵＲＩで特定されるウェブページの直近のウェブページデータに基づいて、ウェブページのレイアウトを解析する
請求項８に記載の情報配信方法。
【請求項１０】
ユーザ識別子と、前記ユーザ識別子で識別されるユーザが指定したＵＲＩとを対応づけて記憶し、
定期的に、前記ウェブページデータ取得手段に、前記ＵＲＩ記憶手段に記憶されているＵＲＩで特定されるウェブページのウェブページデータを取得し、取得時間とユーザ識別子と対応づけて記憶させる
請求項９に記載の情報配信方法。
【請求項１１】
更新情報の抽出において更新時刻をも抽出し、
抽出された更新情報に、前記更新時刻をさらに付加した配信用更新情報を生成する
請求項８から請求項１０のうちのいずれか１項に記載の情報配信方法。
【請求項１２】
配信用更新情報の生成において、更新情報を更新時刻順に配列させる請求項１１に記載の情報配信方法。
【請求項１３】
ウェブページの更新された情報を示す更新情報を配信するための情報配信用プログラムであって、
コンピュータに、
直近複数時点のウェブページデータを比較して更新情報を抽出する処理、
前記ウェブページデータに基づいて、ウェブページのレイアウトを解析し、セクションを抽出する処理、
抽出された更新情報を含む前記セクションを、更新セクションとして抽出する処理、および
抽出された更新情報に、前記更新セクションを示す情報を付加した配信用更新情報を生成する処理
を実行させるための情報配信用プログラム。
【請求項１４】
コンピュータに、
ユーザを識別するためのユーザ識別情報と、前記ユーザが指定したＵＲＩと、前記ＵＲＩで特定されるウェブページのウェブページデータと、前記ウェブページデータの取得時間とを対応づけて記憶装置に記憶させる処理、
指定のユーザ識別情報に対応づけて記憶されている指定のＵＲＩで特定されるウェブページの直近複数時点のウェブページデータを比較して更新情報を抽出する処理、および
前記指定のユーザ識別情報に対応づけて記憶されている前記指定のＵＲＩで特定されるウェブページの直近のウェブページデータに基づいて、ウェブページのレイアウトを解析する処理
を実行させる請求項１３に記載の情報配信用プログラム。
【請求項１５】
コンピュータに、
ユーザ識別子と、前記ユーザ識別子で識別されるユーザが指定したＵＲＩとを対応づけて記憶装置に記憶させる処理、および
定期的に、前記ウェブページデータ取得手段に、前記ＵＲＩ記憶手段に記憶されているＵＲＩで特定されるウェブページのウェブページデータを取得し、取得時間とユーザ識別子と対応づけて記憶装置に記憶させる処理
を実行させる請求項１４に記載の情報配信用プログラム。
【請求項１６】
コンピュータに、
更新情報の抽出において更新時刻を抽出させ、
抽出された更新情報に、前記更新時刻をさらに付加した配信用更新情報を生成させる
請求項１３から請求項１５のうちのいずれか１項に記載の情報配信用プログラム。
【請求項１７】
配信用更新情報の生成において、更新情報を更新時刻順に配列させる請求項１６に記載の情報配信用プログラム。
【発明の詳細な説明】
【技術分野】
【０００１】
本発明は、情報配信システム、情報配信装置、情報配信方法および情報配信用プログラムに関し、特に、更新情報を配信できる情報配信システム、情報配信装置、情報配信方法および情報配信用プログラムに関する。
【背景技術】
【０００２】
従来の情報配信システムは、ユーザがＷｅｂページ（以下、ウェブページとも言う。）の更新の有無を把握できるようにするため、特許文献１や特許文献２に記載されているように、システムがＷｅｂページの更新の有無を予め設定された条件に照らして検出し、ユーザに通知していた。
【０００３】
また、ユーザがＷｅｂページの更新情報を取得できるようにするため、非特許文献１で開示されているように、ＲＳＳ（RDF Site Summery）という形式でＷｅｂページ提供者が更新情報を作成し、配信する方法も見られる。
【０００４】
さらに、ユーザがＷｅｂページの更新情報のみを取得して通信費を抑制できるようにするため、特許文献３に記載されているように、システムがＷｅｂページの指定された情報のみをその情報が更新された時にユーザに配信したり、特許文献４に記載されているように、システムが多様なＷｅｂページの更新情報を抽出し所定の形式に生成の上、ユーザに配信する方法も考えられている。
【０００５】
【特許文献１】特開２００４−１９９５９５号公報
【特許文献２】特開２００６−０４８３２７号公報
【特許文献３】特開２００３−２４８６１３号公報
【特許文献４】特開２００５−２８４３３４号公報
【非特許文献１】”ＲＳＳフィールドについて”、［online］、ａｔｍａｒｋｉｔ、［平成１８年７月１８日検索］、インターネット＜ＵＲＬ：http://www.atmarkit.co.jp/aboutus/rss/rss.html＞
【発明の開示】
【発明が解決しようとする課題】
【０００６】
特許文献１に記載されているシステムでは、複数のデータ変動タイプに分類し、データ変動タイプを用いて通知条件を設定して、不必要な更新通知を受けないようにすることができる。しかしながら、特許文献１に記載されているシステムでは、何についての情報が更新されたか等は示されず、数多くの更新情報が通知されれば、やはりユーザに無駄な閲覧作業を強いることになってしまう。
【０００７】
また、特許文献２に記載されているシステムでは、項目を指定することでユーザが関心のある項目についてのみ更新情報を通知することができるが、各項目の領域などをユーザに指定させる手間がかかってしまう。また、ユーザが複数の項目を指定した場合には、結局元のＷｅｂページを改めて閲覧しなければ何についての情報が更新されたかを確認することができない。なお、何についての情報が更新されたかが示されない点では、特許文献３に記載されているシステムも同様である。
【０００８】
また、特許文献４に記載されているシステムでは、ユーザが設定することで、更新通知の対象となるＷｅｂページのＵＲＬの各々、または１まとまりにタイトルを設定することで識別を容易にすることができると記載されているが、ユーザに設定させる手間がかかってしまう。また、ＵＲＬを単位にタイトルをつけただけでは、多くのＷｅｂページに見られるように、複数のフレームにより１ページが構成されているような場合には、やはり何についての情報が更新されたかがわからないことになる。
【０００９】
また、非特許文献１で開示されているＲＳＳを用いた場合には、Ｗｅｂページ提供者側に、ＲＳＳ形式で更新情報を作成させ、公開させる手間が必要となる。
【００１０】
このように、従来技術の問題点は、Ｗｅｂページ提供者やユーザからの特段の支援なくＷｅｂページの更新情報を抽出・配信する情報配信システムにおいて、更新情報を分かりやすく提供できないことである。その理由は、従来の情報配信システムでは更新情報の適度な周辺情報が提供されないためである。更新情報の前後一定文字を併せて提供する方法もあるが、加減がＷｅｂページに依存するため難しい。
【００１１】
そこで、本発明の目的は、Ｗｅｂページ提供者やユーザからの特段の支援なくＷｅｂページの更新情報を分かりやすく提供できるようにすることである。
【課題を解決するための手段】
【００１２】
本発明による情報配信システムは、ウェブページの更新された情報を示す更新情報を配信する情報配信システムであって、更新情報に、意味的に関連する情報を掲載しているウェブページの画面上の領域の単位であるセクションであって、更新情報を含むセクションを示す情報を付加した配信用更新情報を生成することを特徴とする。
【００１３】
また、情報配信システムは、直近複数時点のウェブページデータを比較して更新情報を抽出する更新情報抽出手段（例えば、更新情報抽出手段２２）と、ウェブページデータに基づいて、ウェブページのレイアウトを解析し、セクションを抽出するレイアウト解析手段（例えば、レイアウト解析手段２３）と、更新情報抽出手段で抽出された更新情報を含むレイアウト解析手段で抽出されたセクションを、更新セクションとして抽出する更新セクション抽出手段（例えば、更新セクション抽出手段２４）と、更新情報抽出手段で抽出された更新情報に、更新セクション抽出手段が抽出した更新セクションを示す情報を付加した配信用更新情報を生成する更新情報整形手段（例えば、更新情報整形手段２５）とを備えていてもよい。
【００１４】
また、情報配信システムは、ユーザを識別するためのユーザ識別情報と、ユーザが指定したＵＲＩと、ＵＲＩで特定されるウェブページのウェブページデータと、ウェブページデータの取得時間とを対応づけて記憶するウェブページ記憶手段（例えば、Ｗｅｂページ記憶部３１）を備え、更新抽出手段は、指定のユーザ識別情報に対応づけて記憶されている指定のＵＲＩで特定されるウェブページの直近複数時点のウェブページデータを比較し、レイアウト解析手段は、指定のユーザ識別情報に対応づけて記憶されている指定のＵＲＩで特定されるウェブページの直近のウェブページデータに基づいて、ウェブページのレイアウトを解析してもよい。
【００１５】
また、情報配信システムは、ユーザ識別子と、ユーザ識別子で識別されるユーザが指定したＵＲＩとを対応づけて記憶するＵＲＩ記憶手段（例えば、ＵＲＩ記憶部３２）と、指定のＵＲＩで特定されるウェブページのウェブページデータを取得するウェブページデータ取得手段（例えば、Ｗｅｂページ取得手段２１）と、定期的に、ウェブページデータ取得手段に、ＵＲＩ記憶手段に記憶されているＵＲＩで特定されるウェブページのウェブページデータを取得させ、取得時間とユーザ識別子と対応づけてウェブページ記憶手段に記憶させる定期実行制御手段（例えば、定期実行制御手段２８）とを備えていてもよい。
【００１６】
また、更新情報抽出手段は、更新時刻をも抽出し、更新情報整形生成手段は、更新情報抽出手段によって抽出された更新情報に、更新時刻をさらに付加した配信用更新情報を生成してもよい。
【００１７】
また、更新情報整形手段は、配信用更新情報を更新時刻順に配列させて生成してもよい。
【００１８】
また、本発明による情報配信装置は、ウェブページの更新された情報を示す更新情報を配信する情報配信システムに適用される情報配信装置であって、直近複数時点のウェブページデータを比較して更新情報を抽出する更新情報抽出手段と、ウェブページデータに基づいて、ウェブページのレイアウトを解析し、セクションを抽出するレイアウト解析手段と、更新情報抽出手段で抽出された更新情報を含むレイアウト解析手段で抽出されたセクションを、更新セクションとして抽出する更新セクション抽出手段と、更新情報抽出手段で抽出された更新情報に、更新セクション抽出手段が抽出した更新セクションを示す情報を付加した配信用更新情報を生成する更新情報整形手段とを備えたことを特徴とする。
【００１９】
また、本発明による情報配信方法は、ウェブページの更新された情報を示す更新情報を配信する情報配信方法であって、直近複数時点のウェブページデータを比較して更新情報を抽出し、ウェブページデータに基づいて、ウェブページのレイアウトを解析し、セクションを抽出し、抽出された更新情報を含むセクションを、更新セクションとして抽出し、抽出された更新情報に、更新セクションを示す情報を付加した配信用更新情報を生成することを特徴とする。
【００２０】
また、ユーザを識別するためのユーザ識別情報と、ユーザが指定したＵＲＩと、ＵＲＩで特定されるウェブページのウェブページデータと、ウェブページデータの取得時間とを対応づけて記憶し、指定のユーザ識別情報に対応づけて記憶されている指定のＵＲＩで特定されるウェブページの直近複数時点のウェブページデータを比較して更新情報を抽出し、指定のユーザ識別情報に対応づけて記憶されている指定のＵＲＩで特定されるウェブページの直近のウェブページデータに基づいて、ウェブページのレイアウトを解析してもよい。
【００２１】
また、ユーザ識別子と、ユーザ識別子で識別されるユーザが指定したＵＲＩとを対応づけて記憶し、定期的に、ウェブページデータ取得手段に、ＵＲＩ記憶手段に記憶されているＵＲＩで特定されるウェブページのウェブページデータを取得し、取得時間とユーザ識別子と対応づけて記憶させてもよい。
【００２２】
また、更新情報の抽出において更新時刻をも抽出し、抽出された更新情報に、更新時刻をさらに付加した配信用更新情報を生成してもよい。
【００２３】
また、配信用更新情報の生成において、更新情報を更新時刻順に配列させてもよい。
【００２４】
また、本発明による情報配信用プログラムは、ウェブページの更新された情報を示す更新情報を配信するための情報配信用プログラムであって、コンピュータに、直近複数時点のウェブページデータを比較して更新情報を抽出する処理、ウェブページデータに基づいて、ウェブページのレイアウトを解析し、セクションを抽出する処理、抽出された更新情報を含むセクションを、更新セクションとして抽出する処理、および抽出された更新情報に、更新セクションを示す情報を付加した配信用更新情報を生成する処理を実行させることを特徴とする。
【００２５】
また、コンピュータに、ユーザを識別するためのユーザ識別情報と、ユーザが指定したＵＲＩと、ＵＲＩで特定されるウェブページのウェブページデータと、ウェブページデータの取得時間とを対応づけて記憶装置に記憶させる処理、指定のユーザ識別情報に対応づけて記憶されている指定のＵＲＩで特定されるウェブページの直近複数時点のウェブページデータを比較して更新情報を抽出する処理、および指定のユーザ識別情報に対応づけて記憶されている指定のＵＲＩで特定されるウェブページの直近のウェブページデータに基づいて、ウェブページのレイアウトを解析する処理を実行させてもよい。
【００２６】
また、コンピュータに、ユーザ識別子と、ユーザ識別子で識別されるユーザが指定したＵＲＩとを対応づけて記憶装置に記憶させる処理、および定期的に、ウェブページデータ取得手段に、ＵＲＩ記憶手段に記憶されているＵＲＩで特定されるウェブページのウェブページデータを取得し、取得時間とユーザ識別子と対応づけて記憶装置に記憶させる処理を実行させてもよい。
【００２７】
また、コンピュータに、更新情報の抽出において更新時刻を抽出させ、抽出された更新情報に、更新時刻をさらに付加した配信用更新情報を生成させてもよい。
【００２８】
また、配信用更新情報の生成において、更新情報を更新時刻順に配列させてもよい。
【発明の効果】
【００２９】
本発明の効果は、更新情報を適度な周辺情報とともに提供できることにある。この結果更新情報を分かりやすく提供できる。その理由は、Ｗｅｂページの更新情報を抽出し、当該更新情報とウェブページのレイアウト解析結果に基づき更新セクションを抽出し、更新情報に更新セクションを示す情報を付加した配信用更新情報を生成するためである。
【発明を実施するための最良の形態】
【００３０】
実施の形態１．
以下、本実施の形態について図面を参照して説明する。図１は、本発明の第１の実施の形態における情報配信システムに適用される配信サーバの構成例を示すブロック図である。図１に示すように、本発明の第１の実施の形態による配信サーバは、ネットワークカード等の入力装置１と、プログラム制御により動作するデータ処理装置２と、情報を記憶する記憶装置３と、ネットワークカード等の出力装置４とを含む。配信サーバは、例えば、ユーザが操作するユーザ端末からの要求に従って更新情報を配信するサーバ装置によって実現される。なお、図示していないが、情報配信システムとしては、更新情報を配信する配信サーバの他に、ユーザが操作し更新情報の配信先となるユーザ端末と、Ｗｅｂページを公開するＷｅｂサーバとを備え、各装置がインターネット等の通信ネットワークを介して接続されて構成される。
【００３１】
また、記憶装置３は、Ｗｅｂページ記憶部３１を備える。Ｗｅｂページ記憶部３１は、ユーザを識別するためのユーザＩＤと、更新情報の取得対象とするＷｅｂページのＵＲＩ（Ｕｎｉｆｏｒｍ  Ｒｅｓｏｕｒｃｅ  Ｉｄｅｎｔｉｆｉｅｒ）と、ＵＲＩで特定されるＷｅｂページのＷｅｂページデータと、取得時刻とを対応づけて記憶する。
【００３２】
また、データ処理装置２は、Ｗｅｂページ取得手段２１と、更新情報抽出手段２２と、レイアウト解析手段２３と、更新セクション抽出手段２４と、更新情報整形手段２５と、更新情報配信手段２６とを備える。
【００３３】
Ｗｅｂページ取得手段２１は、入力装置１から与えられたＵＲＩに対応するＷｅｂページのデータ（Ｗｅｂページデータ）を取得し、入力装置１から与えられたユーザＩＤ、ＷｅｂページのＵＲＩ、取得時刻とともにＷｅｂページ記憶部３１に記憶させる。更新情報抽出手段２２は、入力装置１から与えられたユーザＩＤとＵＲＩとに対応する直近複数時点のＷｅｂページデータをＷｅｂページ記憶部３１から取得し、これらを比較して更新情報（更新された情報）を抽出する。
【００３４】
レイアウト解析手段２３は、入力装置１から与えられたユーザＩＤとＵＲＩとに対応する直近の（または比較に用いた）ＷｅｂページデータをＷｅｂページ記憶部３１から取得し、レイアウト（Ｗｅｂページの画面レイアウト）を解析し、レイアウトを構成するセクションやその見出しを抽出する。一般に、Ｗｅｂページの画面では、意味的に関連する情報を掲載した１つ以上の領域がレイアウトされ、一部の領域はその内容が一目で分かる標題を持つ。ここで、意味的に関連する情報とは、ある事柄に一定の基準で関わりのある情報をいう。具体的には、”ある事柄”が、その領域の標題となる。なお、ある事柄にある基準で（例えば、情報の詳細さのレベルで）関わりのある情報が一つしかない場合は、領域内に掲載される情報が一つとなる。本実施の形態において、セクションとは、意味的に関連する情報を掲載している、Ｗｅｂページの画面レイアウト上の領域をいう。また、見出しとは、セクション内で掲載している情報の標題を示す情報をいう。
【００３５】
更新セクション抽出手段２４は、更新情報抽出手段２２で抽出された更新情報と、レイアウト解析手段２３で解析されたレイアウト解析結果（例えば、セッションの区切りを示す情報やセッションの見出し）とを取得し、更新情報を含むセクションを更新セクションとして抽出する。なお、更新情報が仮に削除された情報であった場合には、更新前のＷｅｂページにおいて削除された情報を含んでいたセクションを更新セクションとして抽出すればよい。
【００３６】
更新情報整形手段２５は、更新情報抽出手段２２で抽出された更新情報に、更新セクション抽出手段２４で抽出された更新セクションを示す情報（例えば、見出しやセクションそのものの情報）を含めた配信用更新情報を生成する。更新情報整形手段２５は、例えば、更新情報と更新セクションの見出しとを含む配信用更新情報を生成してもよい。また、配信用更新情報として更新セクション内で掲載されている全ての情報を配信用更新情報として生成してもよい。
【００３７】
更新情報配信手段２６は、更新情報整形手段２５で生成された更新情報（すなわち、配信用更新情報）を出力装置３を用いて所定の方式で配信する。所定の方式としては、更新情報をファイル形式に変換して直接要求元に送信する、更新情報をファイル形式に変換してＷｅｂサーバに配置する、更新情報をメールで送信する等を用いることができる。
【００３８】
ここで、更新情報抽出手段２２は、入力装置１から与えられたユーザＩＤにつき、複数のＵＲＩに対応するそれぞれの直近複数時点のＷｅｂページデータをＷｅｂページ記憶部３１から取得し、これらを比較し、更新情報を抽出し、更新情報整形手段２５は、更新情報抽出手段２２で抽出された更新情報に、更新セクション抽出手段２４で抽出された更新セクションやその見出しの情報を付加してＵＲＩ順に配列した、複数のＷｅｂページの統合された配信用更新情報を生成してもよい。
【００３９】
また、更新情報抽出手段２２と更新セクション抽出手段２４は、更新時刻をも抽出し、更新情報整形手段２５は、更新情報抽出手段２２で抽出された更新情報に更新時刻をさらに付加した配信用更新情報を生成してもよい。更新時刻は、例えば、比較したＷｅｂページデータの取得時間に基づいて抽出すればよい。また、更新情報整形手段２５は、更新時刻順に配列した配信用更新情報を生成してもよい。また、更新情報整形手段２５は、セクションの更新履歴を含んだ配信用更新情報を生成してもよい。
【００４０】
また、更新情報整形手段２５は、例えば、更新セクション抽出手段２４で抽出された更新セクションやその見出しの情報を、［見出し］［セクション］［見出し］・・・の形式で配列したり、［見出し］［セクション内の更新情報］［見出し］・・・の形式で配列したり、［見出し］［セクション］［見出し］・・・の形式で配列しセクション内の更新情報を例えば太字で示したり、画面上のセクション位置を示すアイコンを用い、［アイコン］［セクション］［アイコン］・・・の形式で配列したりした配信用更新情報を生成してもよいし、更新情報や更新セクションの表現（色やフォント等）を変えたＷｅｂページを配信用更新情報として生成してもよい。
【００４１】
Ｗｅｂページ記憶部３１は、具体的には、メモリ等の記憶装置によって実現される。また、Ｗｅｂページ取得手段２１、更新情報抽出手段２２、レイアウト解析手段２３、更新セクション抽出手段２４、更新情報整形手段２５および更新情報配信手段２６は、具体的には、プログラムに従って動作するＣＰＵによって実現される。なお、データ処理装置と記憶装置とは、通信可能に接続されていれば別装置として実現されていてもよい。
【００４２】
次に、本実施の形態の動作について図面を参照して説明する。図２は、本実施の形態における配信サーバの動作例を示すフローチャートである。Ｗｅｂページ取得手段２１は、入力装置１から与えられたＵＲＩで特定されるＷｅｂページにネットワークを介してアクセスし、ＵＲＩに対応するＷｅｂページデータを取得する（ステップＡ１）。そして、取得したＷｅｂページデータを、入力装置１から与えられたユーザＩＤと、ＷｅｂページのＵＲＩと、Ｗｅｂページデータの取得時間とともに、Ｗｅｂページ記憶部３１に記憶させる（ステップＡ２）。
【００４３】
ユーザＩＤは、例えば、本システムによる更新情報の配信サービスを受けたいユーザに予め所定の登録手続きを行わせた際に割り当ててもよいし、端末固有情報（携帯電話機の端末固有ＩＤやＭＡＣアドレス、ＩＰアドレスなど）を用いてもよい。また、更新情報の取得対象とするＷｅｂページのＵＲＩは、更新情報を要求するための要求画面を用意し画面操作によって入力させてもよいし、ブックマークのような履歴情報を記憶しておき、その中から選択させてもよい。
【００４４】
更新情報抽出手段２２は、入力装置１から与えられたユーザＩＤとＵＲＩとに対応する直近２時点のＷｅｂページデータをＷｅｂページ記憶部３１から取得し、これらを比較し、更新情報を抽出する（ステップＡ３）。レイアウト解析手段２３は、Ｗｅｂページ取得手段２１で取得されたＷｅｂページデータで示されるＷｅｂページについてレイアウトを解析する（ステップＡ４）。レイアウト解析手段２３は、具体的には、レイアウトを解析し、レイアウトを構成するセクションとその見出しを抽出する。
【００４５】
レイアウト解析手段２３は、例えば、Ｗｅｂページデータとして取得された構造化文書または半構造化文書の構造（タグの種類や構造）やレンダリング時の表示上の特徴に基づいて、レイアウトを構成するセクションやその見出しを抽出する。具体的には、特開２００６−１５５５９３１号公報（参照文献）に開示されているような文書解析システムを用いて実現してもよい。参照文献に開示されている文書解析システムでは、構造化・半構造化文書をレンダリングし、文書記述要素の配置を認識し、一定の方向に配置された文書記述要素をグループ化してレイアウトを解析する。また、レイアウトを解析する際に、文書記述要素の名前、属性、スタイル、内容を所定のタイトル解析ルールと照合しタイトル（すなわち、見出し）を抽出する。タイトル解析ルールは、例えば、ｈ１でタグ付けされた情報や背景色を持つなど、他と比べ表示上顕著な特徴を持つ情報を抽出できるようなルールであってもよい。
【００４６】
更新セクション抽出手段２４は、更新情報抽出手段２２で抽出された更新情報と、レイアウト解析手段２３で解析されたレイアウト解析結果（例えば、セッションの区切りを示す情報やセッションの見出し）とを取得し、レイアウトを構成する各セクションについて、セクションが更新情報を含むか順に判定し、更新セクションを抽出する（ステップＡ５）。更新情報整形手段２５は、更新情報抽出手段２２で抽出された更新情報を元に、更新セクション抽出手段２４で抽出された更新セクションを用いて、更新情報を整形する（ステップＡ６）。更新情報整形手段２５は、更新情報抽出手段２２で抽出された更新情報に、更新セクション抽出手段２４で抽出された更新セクションを示す情報（例えば、更新セクションの見出しや更新セクション内で掲載している情報）を付加した配信用更新情報を生成する。更新情報配信手段２６は、更新情報整形手段２５で生成された配信用更新情報を出力装置３を用いて所定の方式で配信する（ステップＡ７）。
【００４７】
以上のように、本実施の形態では、意味的に関連する情報を掲載しているＷｅｂページの画面レイアウト上の領域のうち、更新情報を含む領域を更新セクションとして抽出し、更新セクションを示す情報を含めて配信するので、更新情報を適度な周辺情報とともに提供することができる。結果、更新情報を分かりやすく提供できる。すなわち、ユーザは、そのＷｅｂページが何について更新したかを、そのＷｅｂページを改めて閲覧することなく知ることができる。
【００４８】
なお、本実施の形態では、サーバ側で全ての処理を行う場合について説明したが、例えば、ユーザＩＤを省略して、クライアント側（ユーザ端末）単体で動作させてもよい。ユーザ端末単体で動作させる場合、具体的には、Ｗｅｂページデータを履歴情報として記憶しておき、Ｗｅｂページ読み込み時に更新情報を表示するようなブラウザによって実現してもよい。また、更新情報の表示は、Ｗｅｂページの代わりに表示させたり、ポップアップ表示させてもよい。
【００４９】
また、サーバ側とクライアント側で連携し処理する構成として、サーバ側にＷｅｂページ記憶部３１を、クライアント側にそれ以外の構成要素を配してもよい。そのような場合には、記憶装置が貧弱なユーザ端末に代わりサーバ装置が過去のＷｅｂページデータを記憶して、更新情報取得時にユーザ端末がサーバ装置からデータを取得すればよい。
【００５０】
また、別の例として、サーバ側にレイアウト解析手段を、クライアント側にそれ以外の構成要素を配してもよい。そのような場合には、データ処理装置が貧弱なユーザ端末に代わりサーバ装置がレイアウト解析処理を実行し、ユーザ端末はサーバ装置が解析したレイアウト解析結果を用いて更新セクションを抽出すればよい。
【００５１】
実施の形態２．
本発明の第２の実施の形態について図面を参照して説明する。図３は、第２の実施の形態における情報配信システムの構成例を示すブロック図である。図３に示すように、本発明の第２の実施の形態における配信サーバは、ネットワークカード等の入力装置１と、プログラム制御により動作するデータ処理装置２と、情報を記憶する記憶装置３と、ネットワークカード等の出力装置４とを含む。本実施の形態では、図１に示す第１の実施の形態と比べて、記憶装置３がＵＲＩ記憶部３２を備える点、およびデータ処理装置２がＵＲＩ登録手段２７と定期実行制御手段２８とを備える点が異なる。
【００５２】
ＵＲＩ記憶部３２は、ユーザを識別するためのユーザＩＤと、更新情報の取得対象とするＷｅｂページのＵＲＩとを記憶する。
【００５３】
ＵＲＩ登録手段２７は、入力装置１から与えられたユーザＩＤとＵＲＩとをＵＲＩ記憶部３２に記憶させる。ＵＲＩ登録手段２７は、例えば、登録手続きを行ったユーザに対し、更新情報の取得対象とするＷｅｂページのＵＲＩを指定するためのＵＲＩ登録画面を用意し、画面操作によって入力されるＵＲＩを、ユーザＩＤと対応づけて登録（記憶）する。なお、ＵＲＩ記憶部３２には、例えば、いずれかのユーザに指定されたＵＲＩと対応づけて、そのＵＲＩを指定したユーザを記憶させてもよい。
【００５４】
定期実行制御手段２８は、ＵＲＩ記憶部３２からユーザＩＤとＵＲＩとを定期的に取得し、Ｗｅｂページ取得手段２１を用いて当該ＵＲＩに対応するＷｅｂページデータを取得させ、ユーザＩＤと、ＵＲＩと、取得したＷｅｂページデータと、その取得時刻とをＷｅｂページ記憶部３１に記憶する。
【００５５】
なお、本実施の形態では、Ｗｅｂページ取得手段２１は、定期実行制御手段２７から与えられたＵＲＩで特定されるＷｅｂページにネットワークを介してアクセスし、ＵＲＩに対応するＷｅｂページデータを取得する。
【００５６】
ここで、Ｗｅｂページ取得手段２１は、入力装置１から与えられたＵＲＩに対応するＷｅｂページを取得し、入力装置１から与えられたユーザＩＤと、ＷｅｂページのＵＲＩと、Ｗｅｂページデータと取得時刻とをＷｅｂページ記憶部３１に記憶してもよい。なお、Ｗｅｂページ記憶部３１ではユーザＩＤを省略してもよい。そのような場合には、ＵＲＩ記憶部３２を参照してＵＲＩとユーザＩＤとを対応づければよい。
【００５７】
また、ＵＲＩ登録手段２７は、更新情報抽出手段２２に与えられたユーザＩＤとＵＲＩとを監視し、これらがＵＲＩ記憶部３２に記憶されていない場合に、当該ユーザＩＤとＵＲＩをＵＲＩ記憶部３２に記憶してもよい。
【００５８】
ＵＲＩ記憶部３２は、具体的には、メモリ等の記憶装置によって実現される。ＵＲＩ登録手段２７および定期実行制御手段２８は、具体的には、プログラムに従って動作するＣＰＵによって実現される。
【００５９】
次に、本実施の形態の動作について図４〜図６を参照して説明する。図４〜図６は、本実施の形態における情報配信システムの動作例を示すフローチャートである。まず、ＵＲＩ登録手段２７は、入力装置１から与えられたユーザＩＤとＵＲＩとをＵＲＩ記憶部３２に記憶する（図４のステップＢ１）。
【００６０】
定期実行制御手段２８は、ＵＲＩ記憶部３２からユーザＩＤとＵＲＩとを定期的に取得し（図５のステップＢ２）、Ｗｅｂページ取得手段２１を制御して、当該ＵＲＩに対応するＷｅｂページデータをネットワーク経由で取得し（図５のステップＡ１）、取得したＷｅｂページデータを、そのＵＲＩとユーザＩＤと取得時刻とともにＷｅｂページ記憶部３１に記憶する（図５のステップＡ２）。定期実行制御手段２８は、ＵＲＩ記憶部３２に他のＵＲＩ・ユーザＩＤが記憶されているか否かを判断し（図５のステップＢ３）、ユーザＩＤ・ＵＲＩに対応する全てのＷｅｂページデータを取得するまで、上記処理を繰り返し行う。
【００６１】
なお、複数のユーザが同じＵＲＩを登録している場合には、１度取得したＷｅｂページデータを、そのＵＲＩを登録した全てユーザＩＤと対応づけられるようにＷｅｂページ記憶部３１に記憶してもよい。以降の動作（図６のステップＡ３〜Ａ７）は、図２に示した第１の実施の形態と同様のため、説明は省略する。
【００６２】
以上のように、本実施の形態によれば、定期的に取得されたＷｅｂページデータを用いて、Ｗｅｂページの更新情報を抽出し、抽出した更新情報を含む領域である更新セクションを示す情報を含めて配信するので、定期的な更新情報を適度な周辺情報とともに提供できる。結果、一定時間に生じた更新情報を分かりやすく提供できる。
【００６３】
実施の形態３．
本発明の第３の実施の形態について図７を参照して説明する。図７は、本発明の第３の実施の形態における配信サーバの構成例を示すブロック図である。図７に示す配信サーバは、第１および第２の実施の形態と同様に、入力装置１、データ処理装置２、記憶装置３、出力装置４を備え、さらに、データ処理装置２に読み込まれデータ処理装置２の動作を制御して、第１または第２の実施の形態におけるデータ処理装置２と同様の処理を実行させるための情報配信用プログラム５を備える。
【００６４】
情報配信用プログラム５は、データ処理装置２に読み込まれデータ処理装置２の動作を制御し、第１または第２の実施の形態におけるデータ処理装置２と同様の処理を実行させる。また、記憶装置３にＷｅｂページ記憶部３１やＵＲＩ記憶部３２となる記憶領域を割り当て、Ｗｅｂページ記憶部３１やＵＲＩ記憶部３２として動作させる。データ処理装置２は、情報配信用プログラム５の制御により、第１または第２の実施の形態におけるデータ処理装置２による処理と同様の処理を実行する。
【実施例１】
【００６５】
次に、本発明の第１の実施例を図面を参照して説明する。本実施例は、本発明の第１の実施の形態に対応するものである。本実施例は、配信サーバを、ネットワークカードを備えたパーソナルコンピュータと磁気ディスク記憶装置とによって実現する例である。すわなち、本実施例による配信サーバは、入力装置１としてネットワークカードを、データ処理装置２としてパーソナルコンピュータを、記憶装置３として磁気ディスク記憶装置を、出力装置４としてネットワークカードを備えている。
【００６６】
また、パーソナルコンピュータは、プログラム制御に従い、Ｗｅｂページ取得手段２１、更新情報抽出手段２２、レイアウト解析手段２３、更新セクション抽出手段２４、更新情報整形手段２５、更新情報配信手段２６として機能する中央演算装置を有する。また、磁気ディスク記憶装置には、Ｗｅｂページ記憶部３１として、例えば図８に示すような形式で、ユーザＩＤと、ＵＲＩと、Ｗｅｂページデータと、取得時間のリストが記憶されている。
【００６７】
図８は、Ｗｅｂページ記憶部３１に記憶される情報の一例を示す説明図である。図８では、例えば、ユーザＩＤ”ｕｓｅｒ”で識別されるユーザが指定したＵＲＩ”ｈｔｔｐ：／／ｗｗｗ．ｎｅｃ．ｃｏ．ｊｐ／”について、そのＵＲＩで特定されるＷｅｂページデータとして”ｉｎｄｅｘ．ｈｔｍｌ”が取得されていること、またそのＷｅｂページデータの取得時間が２００６年４月１日１８時００分００秒であることが示されている。また、例えば、ユーザＩＤ”ｕｓｅｒ２”で識別されるユーザが指定したＵＲＩ”ｈｔｔｐ：／／ｗｗｗ．ｎｅｃ−ｘ．ｃｏ．ｊｐ／”について、そのＵＲＩで特定されるＷｅｂページデータとして”ｉｎｄｅｘ．ｈｔｍｌ”と”ｌｏｇｏ．ｇｉｆ”が取得されていること、またそのＷｅｂページデータの取得時間が２００６年４月１日１７時５５分００秒であることが示されている。
【００６８】
今、パーソナルコンピュータに対し、”ｈｔｔｐ：／／ｐｃ／ｕｐｄａｔｅ．ｃｇｉ？ｕｉｄ＝ｕｓｅｒ＋ｕｒｉ＝ｈｔｔｐ：／／ｗｗｗ．ｎｅｃ．ｃｏ．ｊｐ／”という更新情報取得要求があったとする。これは、パーソナルコンピュータが予め公開している更新情報の取得を要求するためのＣＧＩ”ｈｔｔｐ：／／ｐｃ／ｕｐｄａｔｅ．ｃｇｉ”に対し、ユーザＩＤとして”ｕｓｅｒ”が、更新情報を取得するＵＲＩとして”ｈｔｔｐ：／／ｗｗｗ．ｎｅｃ．ｃｏ．ｊｐ／”が、それぞれネットワークカード経由で入力されたことを示す。
【００６９】
中央演算装置は、入力されたＵＲＩ”ｈｔｔｐ：／／ｗｗｗ．ｎｅｃ．ｃｏ．ｊｐ／”に対応するＷｅｂページにネットワーク経由でアクセスし、そのＷｅｂページを構成するＨＴＭＬ（Ｈｙｐｅｒ  Ｔｅｘｔ  Ｍａｒｋｕｐ  Ｌａｎｇｕａｇｅ）、ＣＳＳ（Ｃａｓｃａｄｉｎｇ  Ｓｔｙｌｅ  Ｓｈｅｅｔｓ）、画像などのデータ（すなわち、Ｗｅｂページデータ）を取得し、ユーザＩＤ”ｕｓｅｒ”、ＵＲＩ”ｈｔｔｐ：／／ｗｗｗ．ｎｅｃ．ｃｏ．ｊｐ／”、Ｗｅｂページデータの取得時刻とともに、Ｗｅｂページ記憶部３１のリストに追加する。
【００７０】
図９は、ユーザからの更新情報取得要求に応じてＷｅｂページデータを取得した際にＷｅｂページ記憶部３１に追加される情報の一例を示す説明図である。図９では、ユーザからの更新情報取得要求に応じてＷｅｂページデータを取得したことによって、ユーザＩＤ”ｕｓｅｒ”で識別されるユーザが指定したＵＲＩ”ｈｔｔｐ：／／ｗｗｗ．ｎｅｃ．ｃｏ．ｊｐ／”について、２００６年４月１日１９時００分００秒に取得したＷｅｂページデータ”ｉｎｄｅｘ．ｈｔｍｌ”がリストに追加されたことを示している。
【００７１】
中央演算装置は、Ｗｅｂページ記憶部３１に記憶されているリストから、ユーザＩＤ”ｕｓｅｒ”、ＵＲＩ”ｈｔｔｐ：／／ｗｗｗ．ｎｅｃ．ｃｏ．ｊｐ／”に対応する直近２時点のデータ、具体的には２００６年４月１日１８時００分００秒に取得された”ｉｎｄｅｘ．ｈｔｍｌ”と２００６年４月１日１９時００分００秒に取得された”ｉｎｄｅｘ．ｈｔｍｌ”とを取得し、これらを比較し、所定の抽出ルールに従って更新情報を抽出する。抽出ルールとしては、全情報を比較対象とする、画面上に掲載される情報だけを比較対象とする、色やデザインの変更は無視するといったルールが考えられる。
【００７２】
図１０は、更新情報を抽出する対象であるＷｅｂページデータの一例としての”ｉｎｄｅｘ．ｈｔｍｌ”のデータ例を示す説明図である。図１０に示すように、ここでは、２００６年４月１日１９時００分００秒の”ｉｎｄｅｘ．ｈｔｍｌ”に、”＜ｄｉｖ＞ＰＣ新モデル発売＜／ｄｉｖ＞”が追加されているものとする。
【００７３】
中央演算装置は、ＨＴＭＬのテキストデータを解析し、更新情報として”＜ｄｉｖ＞ＰＣ新モデル発売＜／ｄｉｖ＞”を抽出する。次に、中央演算装置は、Ｗｅｂページ記憶部３１に記憶されているリストから、ユーザＩＤ”ｕｓｅｒ”と、ＵＲＩ”ｈｔｔｐ：／／ｗｗｗ．ｎｅｃ．ｃｏ．ｊｐ／”とに対応する直近のデータを取得し、Ｗｅｂページのレイアウトを解析し、レイアウトを構成するセクションとその見出しを抽出する。
【００７４】
図１１は、レイアウト解析結果の例を示す説明図である。ここで、中央演算装置は、図１１に示すように、Ｗｅｂページデータをレンダリングした結果、３つのセクションと、それらのセクションについて、”ＮＥＣ”、”ＮＥＷＳ”、”ＩＲ”という見出しを抽出する。そして、中央演算装置は、レイアウト解析の結果、抽出された各セクションについて、更新情報”＜ｄｉｖ＞ＰＣ新モデル発売＜／ｄｉｖ＞”を含むかを順に判定し、更新セクションとして見出し”ＮＥＷＳ”を持ったセクション（図１２において網掛けで示すセクション）を抽出する。図１２は、更新セクションの抽出例を示す説明図である。
【００７５】
次に、中央演算装置は、更新セクションとその見出しの情報を取得し、これらを図１３に示すように［見出し］［セクション］の順に配列した配信用更新情報を生成し、更新情報を出力装置３を用いて送信する。図１３は、更新情報の整形例を示す説明図である。
【００７６】
図１３では、ＨＴＭＬ形式で、見出しをｃｌａｓｓ＝”ｈｅａｄｉｎｇ”とする＜ＤＩＶ＞タグで囲むとともに、更新セクション内で掲載している情報をｃｌａｓｓ＝”ｂｏｄｙ”とする＜ＤＩＶ＞タグで囲んで更新情報を整形する例を示している。
【実施例２】
【００７７】
次に、本発明の第２の実施例を図面を参照して説明する。本実施例は、本発明の第２の実施の形態に対応するものである。本実施例は、第１の実施例と同様に、配信サーバを、ネットワークカードを備えたパーソナルコンピュータと磁気ディスク記憶装置とによって実現する。
【００７８】
また、パーソナルコンピュータは、プログラム制御に従い、Ｗｅｂページ取得手段２１、更新情報抽出手段２２、レイアウト解析手段２３、更新セクション抽出手段２４、更新情報整形手段２５、更新情報配信手段２６、ＵＲＩ登録手段２７、定期実行制御手段２８として機能する中央演算装置を有する。
【００７９】
また、磁気ディスク記憶装置には、ＵＲＩ記憶部３２として、例えば図１４に示すような形式で、ユーザＩＤとＵＲＩのリストを記憶するための記憶領域が確保されているものとする。図１４は、ＵＲＩ記憶部３２に記憶される情報の一例を示す説明図である。図１４に示すように、例えば、更新情報の取得対象とするＵＲＩが未登録である場合には、各項目に”ｎｕｌｌ”を記憶しておいてもよい。また、磁気ディスク記憶装置には、Ｗｅｂページ記憶部３１として、例えば図１５に示すような形式で、ユーザＩＤと、ＵＲＩと、Ｗｅｂページデータと、取得時間のリストを記憶するための記憶領域が確保されているものとする。図１５は、Ｗｅｂページ記憶部３１に記憶される情報の一例を示す説明図である。図１５に示すように、例えば、Ｗｅｂページデータが未取得である場合には、各項目に”ｎｕｌｌ”を記憶しておいてもよい。
【００８０】
今、パーソナルコンピュータに対し、”ｈｔｔｐ：／／ｐｃ／ｒｅｇｉｓｔｅｒ．ｃｇｉ？ｕｉｄ＝ｕｓｅｒ＋ｕｒｉ＝ｈｔｔｐ：／／ｗｗｗ．ｎｅｃ．ｃｏ．ｊｐ／というＵＲＩ登録要求があったとする。これは、パーソナルコンピュータが予め公開している更新情報の取得対象とするＵＲＩを登録するためのＣＧＩ” ｈｔｔｐ：／／ｐｃ／ｒｅｇｉｓｔｅｒ．ｃｇｉ”に対し、ユーザＩＤとして”ｕｓｅｒ”が、更新情報の取得対象とするＵＲＩとして”ｈｔｔｐ：／／ｗｗｗ．ｎｅｃ．ｃｏ．ｊｐ／”が、それぞれネットワークカード経由で入力されたことを示す。
【００８１】
中央演算装置は、入力されたユーザＩＤ”ｕｓｅｒ”と、ＵＲＩ”ｈｔｔｐ：／／ｗｗｗ．ｎｅｃ．ｃｏ．ｊｐ／”の登録がないことを確認した上で、これらをＵＲＩ記憶部３２のリストに追加する。図１６は、ユーザからのＵＲＩ登録要求に応じてＵＲＩ記憶部３２に追加される情報の一例を示す説明図である。図１６では、ユーザからのＵＲＩ登録要求に応じて、例えば、ユーザＩＤ”ｕｓｅｒ”とユーザが指定したＵＲＩ”ｈｔｔｐ：／／ｗｗｗ．ｎｅｃ．ｃｏ．ｊｐ／”とが対応づけられてリストに追加されたことを示している。
【００８２】
そして、中央演算装置は、ＵＲＩ記憶部３２に記憶されているリストから、定期的にユーザＩＤ”ｕｓｅｒ”、ＵＲＩ”ｈｔｔｐ：／／ｗｗｗ．ｎｅｃ．ｃｏ．ｊｐ／”を取得し、当該ＵＲＩで特定されるＷｅｂページにネットワーク経由でアクセスし、そのＷｅｂページを構成するＨＴＭＬ、ＣＳＳ、画像などのデータ（Ｗｅｂページデータ）を取得し、ユーザＩＤ、ＵＲＩ、Ｗｅｂページデータの取得時間とともに、Ｗｅｂページ記憶部３１のリストに追加する。
【００８３】
図１７は、ユーザから登録のあったＵＲＩに対応するＷｅｂページデータを定期的に取得した際に、Ｗｅｂページ記憶部３１に追加される情報の一例を示す説明図である。図１７では、ユーザから登録のあったＵＲＩに対応するＷｅｂページデータを定期的に取得したことによって、ユーザＩＤ”ｕｓｅｒ”が指定したＵＲＩ”ｈｔｔｐ：／／ｗｗｗ．ｎｅｃ．ｃｏ．ｊｐ／”について、２００６年４月１日１８時００分００秒に取得したＷｅｂページデータ”ｉｎｄｅｘ．ｈｔｍｌ”と、２００６年４月１日１９時００分００秒に取得したＷｅｂページデータ”ｉｎｄｅｘ．ｈｔｍｌ”とがリストに追加されたことを示している。なお、図１７に示す例では、１時間が経過したことを検出した場合にＷｅｂページデータを取得している。
【００８４】
ここで、パーソナルコンピュータに対し、”ｈｔｔｐ：／／ｐｃ／ｕｐｄａｔｅ．ｃｇｉ？ｕｉｄ＝ｕｓｅｒ＋ｕｒｉ＝ｈｔｔｐ：／／ｗｗｗ．ｎｅｃ．ｃｏ．ｊｐ／”という更新情報取得要求があり、ユーザＩＤとして”ｕｓｅｒ”が、更新情報を取得するＵＲＩとして”ｈｔｔｐ：／／ｗｗｗ．ｎｅｃ．ｃｏ．ｊｐ／”が、それぞれネットワークカード経由で入力されたとする。中央演算装置は、第１の実施例と同様に、Ｗｅｂページ記憶部３１に記憶されている情報を元に、更新情報（配信用更新情報）を生成し、出力装置３を用いて送信する。
【００８５】
ここで、第１および第２の実施例について、中央演算装置は、更新情報や更新セクションの元のＨＴＭＬ形式のデータについて、ＨＴＭＬ要素の全部または一部を別のＨＴＭＬ要素やＸＭＬ（Ｅｘｔｅｎｓｉｂｌｅ  Ｍａｒｋｕｐ  Ｌａｎｇｕａｇｅ）要素、テキストに置換して更新情報を生成してもよい。また、第１および第２の実施例について、中央演算装置は、ＸＭＬ形式の配信用更新情報を生成してもよい。図１８は、ＸＭＬ形式で配信用更新情報を生成した例を示す説明図である。
【産業上の利用可能性】
【００８６】
本発明によれば、Ｗｅｂページの更新情報を配信する情報配信装置や、情報配信装置をコンピュータに実現するためのプログラムといった用途に適用できる。また、Ｗｅｂページの更新情報を計算し端末画面に表示する情報表示装置や機能といった用途にも適用できる。
【図面の簡単な説明】
【００８７】
【図１】本発明の第１の実施の形態における配信サーバの構成例を示すブロック図である。
【図２】第１の実施の形態における配信サーバの動作例を示すフローチャートである。
【図３】第２の実施の形態における配信サーバの構成例を示すブロック図である。
【図４】第２の実施の形態における配信サーバの動作例を示すフローチャートである。
【図５】第２の実施の形態における配信サーバの動作例を示すフローチャートである。
【図６】第２の実施の形態における配信サーバの動作例を示すフローチャートである。
【図７】本発明の第３の実施の形態における配信サーバの構成例を示すブロック図である。
【図８】Ｗｅｂページ記憶部３１に記憶される情報の一例を示す説明図である。
【図９】Ｗｅｂページ記憶部３１に記憶される情報の一例を示す説明図である。
【図１０】更新情報を抽出する対象であるＷｅｂページデータの一例を示す説明図である。
【図１１】レイアウト解析結果の例を示す説明図である。
【図１２】更新セクションの抽出例を示す説明図である。
【図１３】更新情報の整形例を示す説明図である。
【図１４】ＵＲＩ記憶部３２に記憶される情報の一例を示す説明図である。
【図１５】Ｗｅｂページ記憶部３１に記憶される情報の一例を示す説明図である。
【図１６】ＵＲＩ記憶部３２に追加される情報の一例を示す説明図である。
【図１７】Ｗｅｂページ記憶部３１に追加される情報の一例を示す説明図である。
【図１８】ＸＭＬ形式で配信用更新情報を生成した例を示す説明図である。
【符号の説明】
【００８８】
１  入力装置
２  データ処理装置
３  記憶装置
４  出力装置
２１  Ｗｅｂページ取得手段
２２  更新情報抽出手段
２３  レイアウト解析手段
２４  更新セクション抽出手段
２５  更新情報整形手段
２６  更新情報配信手段
２７  ＵＲＩ登録手段
２８  定期実行制御手段
３１  Ｗｅｂページ記憶部
３２  ＵＲＩ記憶部
【図１】
2008071116.tif 000003
【図２】
2008071116.tif 000004
【図３】
2008071116.tif 000005
【図４】
2008071116.tif 000006
【図５】
2008071116.tif 000007
【図６】
2008071116.tif 000008
【図７】
2008071116.tif 000009
【図８】
2008071116.tif 000010
【図９】
2008071116.tif 000011
【図１０】
2008071116.tif 000012
【図１１】
2008071116.tif 000013
【図１２】
2008071116.tif 000014
【図１３】
2008071116.tif 000015
【図１４】
2008071116.tif 000016
【図１５】
2008071116.tif 000017
【図１６】
2008071116.tif 000018
【図１７】
2008071116.tif 000019
【図１８】
2008071116.tif 000020